(57)【要約】  本開示は、曖昧期間の長さの特定方法、端末及びネットワーク側機器を提供し、該方法は、端末は、ＰＤＣＣＨ（Ｐｈｙｓｉｃａｌ  Ｄｏｗｎｌｉｎｋ  Ｃｏｎｔｒｏｌ  Ｃｈａｎｎｅｌ）の処理時間、又はＭＡＣ  ＣＥ（Ｍｅｄｉａ  Ａｃｃｅｓｓ  Ｃｏｎｔｒｏｌ  Ｃｏｎｔｒｏｌ  Ｅｌｅｍｅｎｔ）の処理時間に対応する曖昧期間の長さを特定することと、前記端末は、受信した制御メッセージに基づいて、現在時刻で上り信号を送信するか否かを特定することとを含み、ここで、前記制御メッセージの受信時間と現在時刻との差が前記曖昧期間の長さ以上である。【選択図】  図２
2021521729.tif 000002
【特許請求の範囲】
【請求項１】
曖昧期間の長さの特定方法であって、
端末は、ＰＤＣＣＨ（Ｐｈｙｓｉｃａｌ  Ｄｏｗｎｌｉｎｋ  Ｃｏｎｔｒｏｌ  Ｃｈａｎｎｅｌ）の処理時間、又はＭＡＣ  ＣＥ（Ｍｅｄｉａ  Ａｃｃｅｓｓ  Ｃｏｎｔｒｏｌ  Ｃｏｎｔｒｏｌ  Ｅｌｅｍｅｎｔ）の処理時間に対応する曖昧期間の長さを特定することと、
前記端末は、受信した制御メッセージに基づいて、現在時刻で上り信号を送信するか否かを特定することとを含み、ここで、前記制御メッセージの受信時間と前記現在時刻との差が前記曖昧期間の長さ以上である曖昧期間の長さの特定方法。
【請求項２】
前記の端末は曖昧期間の長さを特定することは、
前記端末は、ＰＤＣＣＨに搬送されるコンテンツ及びＣＳＩ  ｍａｓｋｉｎｇ（Ｃｈａｎｎｅｌ  Ｓｔａｔｅ  Ｉｎｆｏｒｍａｔｉｏｎ  ｍａｓｋｉｎｇ）設定の少なくとも１つに基づいて、曖昧期間の長さを特定することを含む請求項１に記載の方法。
【請求項３】
前記端末は、ＰＤＣＣＨに搬送されるコンテンツ及びＣＳＩ  ｍａｓｋｉｎｇ設定の少なくとも１つに基づいて、曖昧期間の長さを特定することは、
端末にＣＳＩ  ｍａｓｋｉｎｇが設定されておらず、前記ＰＤＣＣＨに搬送されるコンテンツが上りグラント（ＵＬ  ｇｒａｎｔ）である場合、前記端末は曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツが下り割り当て（ＤＬ  ａｓｓｉｇｎｍｅｎｔ）である場合、前記端末は曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、前記端末は、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨ（Ｐｈｙｓｉｃａｌ  Ｄｏｗｎｌｉｎｋ  Ｓｈａｒｅｄ  Ｃｈａｎｎｅｌ）との間の間隔時間の長さであり、前記Ｋ１はＰＤＳＣＨとそれに対応するＨＡＲＱ（Ｈｙｂｒｉｄ  Ａｕｔｏｍａｔｉｃ  Ｒｅｐｅａｔ  Ｒｅｑｕｅｓｔ）フィードバックとの間の間隔時間の長さである請求項２に記載の方法。
【請求項４】
前記の端末は曖昧期間の長さを特定することは、
前記端末は、曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項１に記載の方法。
【請求項５】
前記Ｋ０は、ＲＲＣ（Ｒａｄｉｏ  Ｒｅｓｏｕｒｃｅ  Ｃｏｎｔｒｏｌ）シグナリング設定で許容される最大Ｋ０値、又は、前記Ｋ０は、ＢＷＰ（Ｂａｎｄｗｉｄｔｈ  Ｐａｒｔ）の変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である、請求項３又は４に記載の方法。
【請求項６】
前記制御メッセージは、
下りスケジューリングシグナリング、上りスケジューリングシグナリング、スケジューリング要求、及びＤＲＸ（Ｄｉｓｃｏｎｔｉｎｕｏｕｓ  Ｒｅｃｅｐｔｉｏｎ）  ＭＡＣ  ＣＥのうちの少なくとも１つを含み、
前記上り信号は、ＣＳＩ及びＳＲＳ（Ｓｏｕｎｄｉｎｇ  Ｒｅｆｅｒｅｎｃｅ  Ｓｉｇｎａｌ）の少なくとも１つを含む、請求項１〜４のいずれか１項に記載の方法。
【請求項７】
前記端末は、受信した制御メッセージに基づいて、現在時刻で上り信号を送信するか否かを特定することは、
前記端末は、受信した前記制御メッセージに基づいて、現在時刻が活性化時間（Ａｃｔｉｖｅ  Ｔｉｍｅ）に属するか否かを特定し、Ａｃｔｉｖｅ  Ｔｉｍｅに属しない場合は、ＳＲＳを送信しないこと、又は、
前記端末にＣＳＩ  ｍａｓｋｉｎｇが設定されている場合、前記端末は、受信した前記制御メッセージに基づいて、現在時刻に連続傍受タイマｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、ＣＳＩを送信しないこと、又は、
前記端末にＣＳＩ  ｍａｓｋｉｎｇが設定されていない場合、前記端末が、受信した前記制御メッセージに基づいて、現在時刻がＡｃｔｉｖｅ  Ｔｉｍｅに属するか否かを特定し、Ａｃｔｉｖｅ  Ｔｉｍｅに属しない場合は、ＣＳＩを送信しないこと、を含む、請求項６に記載の方法。
【請求項８】
曖昧期間の長さの特定方法であって、
ネットワーク側機器は、ＰＤＣＣＨの処理時間、又はＭＡＣ  ＣＥの処理時間に対応する曖昧期間の長さを特定することと、
前記ネットワーク側機器は、端末に送信した制御メッセージに基づいて、現在時刻で前記端末が上り信号を送信するか否かを特定することとを含み、ここで、前記制御メッセージの受信時間と前記現在時刻との差が前記曖昧期間の長さ以上である曖昧期間の長さの特定方法。
【請求項９】
前記のネットワーク側機器は曖昧期間の長さを特定することは、
前記ネットワーク側機器は、ＰＤＣＣＨに搬送されるコンテンツ及びＣＳＩ  ｍａｓｋｉｎｇ設定の少なくとも１つに基づいて、曖昧期間の長さを特定することを含む請求項８に記載の方法。
【請求項１０】
前記ネットワーク側機器は、ＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、前記ネットワーク側機器は曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記ネットワーク側機器は曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、前記ネットワーク側機器は、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項９に記載の方法。
【請求項１１】
前記のネットワーク側機器は曖昧期間の長さを特定することは、
前記ネットワーク側機器は、曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項８に記載の方法。
【請求項１２】
前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である、請求項１０又は１１に記載の方法。
【請求項１３】
前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む、請求項８〜１１のいずれか１項に記載の方法。
【請求項１４】
前記ネットワーク側機器は、端末に送信した制御メッセージに基づいて、現在時刻で前記端末が上り信号を送信するか否かを特定することは、
前記ネットワーク側機器は、端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＳＲＳを送信しないことを、特定すること、又は、
前記端末にＣＳＩ  ｍａｓｋｉｎｇが設定されている場合、前記ネットワーク側機器は、前記端末に送信した制御メッセージに基づいて、現在時刻にｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、前記端末がＣＳＩを送信しないことを、特定すること、又は、
前記端末にＣＳＩ  ｍａｓｋｉｎｇが設定されていない場合、前記ネットワーク側機器は、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＣＳＩを送信しないことを、特定することを含む、請求項１３に記載の方法。
【請求項１５】
端末であって、
ＰＤＣＣＨの処理時間、又はＭＡＣ  ＣＥの処理時間に対応する曖昧期間の長さを特定することに用いられる第１特定モジュールと、
受信した制御メッセージに基づいて、現在時刻で上り信号を送信するか否かを特定することに用いられる第２特定モジュールとを含み、ここで、前記制御メッセージの受信時間と前記現在時刻との差が前記曖昧期間の長さ以上である端末。
【請求項１６】
前記第１特定モジュールは、ＰＤＣＣＨに搬送されるコンテンツ及びＣＳＩ  ｍａｓｋｉｎｇ設定の少なくとも１つに基づいて、曖昧期間の長さを特定することに用いられる、請求項１５に記載の端末。
【請求項１７】
前記第１特定モジュールは、前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定することに用いられ、又は、
前記第１特定モジュールは、前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、曖昧期間の長さがＫ０、Ｋ１及び前記ＭＡＣ  ＣＥの処理時間の合計に等しいことを特定することに用いられ、又は、
前記第１特定モジュールは、前記端末にＣＳＩ  ｍａｓｋｉｎｇが設定されている場合、曖昧期間の長さがＫ１及び前記ＭＡＣ  ＣＥの処理時間の合計に等しいことを特定することに用いられ、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項１６に記載の端末。
【請求項１８】
ネットワーク側機器であって、
ＰＤＣＣＨの処理時間、又はＭＡＣ  ＣＥの処理時間に対応する曖昧期間の長さを特定することに用いられる第１特定モジュールと、
端末に送信した制御メッセージに基づいて、現在時刻で前記端末が上り信号を送信するか否かを特定することに用いられる第２特定モジュールとを含み、ここで、前記制御メッセージの受信時間と前記現在時刻との差が前記曖昧期間の長さ以上であるネットワーク側機器。
【請求項１９】
前記第１特定モジュールは、ＰＤＣＣＨに搬送されるコンテンツ及びＣＳＩ  ｍａｓｋｉｎｇ設定の少なくとも１つに基づいて、曖昧期間の長さを特定することに用いられる、請求項１８に記載のネットワーク側機器。
【請求項２０】
前記第１特定モジュールは、前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定することに用いられ、又は、
前記第１特定モジュールは、前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、曖昧期間の長さがＫ０、Ｋ１及び前記ＭＡＣ  ＣＥの処理時間の合計に等しいことを特定することに用いられ、又は、
前記第１特定モジュールは、前記端末にＣＳＩ  ｍａｓｋｉｎｇが設定されている場合、曖昧期間の長さがＫ１及び前記ＭＡＣ  ＣＥの処理時間の合計に等しいことを特定することに用いられ、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項１９に記載のネットワーク側機器。
【請求項２１】
トランシーバ、メモリ、プロセッサ、及び前記メモリに記憶されている、前記プロセッサ上で実行可能なプログラムを含む端末であって、ここで、
前記プロセッサは、メモリ内のプログラムを読み取り、
ＰＤＣＣＨの処理時間、又はＭＡＣ  ＣＥの処理時間に対応する曖昧期間の長さを特定することと、
受信した制御メッセージに基づいて、現在時刻で上り信号を送信するか否かを特定することとを実行することに用いられ、ここで、前記制御メッセージの受信時間と前記現在時刻との差が前記曖昧期間の長さ以上であり、
又は、
プロセスの制御で、前記トランシーバは、ＰＤＣＣＨの処理時間、又はＭＡＣ  ＣＥの処理時間に対応する曖昧期間の長さを特定することと、
受信した制御メッセージに基づいて、現在時刻で上り信号を送信するか否かを特定することとに用いられ、ここで、前記制御メッセージの受信時間と前記現在時刻との差が前記曖昧期間の長さ以上である端末。
【請求項２２】
前記の曖昧期間の長さを特定することは、
ＰＤＣＣＨに搬送されるコンテンツ及びＣＳＩ  ｍａｓｋｉｎｇ（Ｃｈａｎｎｅｌ  Ｓｔａｔｅ  Ｉｎｆｏｒｍａｔｉｏｎ  ｍａｓｋｉｎｇ）設定の少なくとも１つに基づいて、曖昧期間の長さを特定することを含む請求項２１に記載の端末。
【請求項２３】
前記のＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨ（Ｐｈｙｓｉｃａｌ  Ｄｏｗｎｌｉｎｋ  Ｓｈａｒｅｄ  Ｃｈａｎｎｅｌ）との間の間隔時間の長さであり、前記Ｋ１はＰＤＳＣＨとそれに対応するＨＡＲＱフィードバックとの間の間隔時間の長さである請求項２２に記載の端末。
【請求項２４】
前記の曖昧期間の長さを特定することは、
曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項２１に記載の端末。
【請求項２５】
前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である、請求項２３又は２４に記載の端末。
【請求項２６】
前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む、請求項２１〜２４のいずれか１項に記載の端末。
【請求項２７】
前記の受信した制御メッセージに基づいて、現在時刻で上り信号を送信するか否かを特定することは、
受信した前記制御メッセージに基づいて、現在時刻が活性化時間（Ａｃｔｉｖｅ  Ｔｉｍｅ）に属するか否かを特定し、Ａｃｔｉｖｅ  Ｔｉｍｅに属しない場合は、ＳＲＳを送信しないこと、又は、
前記端末にＣＳＩ  ｍａｓｋｉｎｇが設定されている場合、受信した前記制御メッセージに基づいて、現在時刻に連続傍受タイマｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、ＣＳＩを送信しないこと、又は、
前記端末にＣＳＩ  ｍａｓｋｉｎｇが設定されていない場合、受信した前記制御メッセージに基づいて、現在時刻がＡｃｔｉｖｅ  Ｔｉｍｅに属するか否かを特定し、Ａｃｔｉｖｅ  Ｔｉｍｅに属しない場合は、ＣＳＩを送信しないこと、を含む、請求項２６に記載の端末。
【請求項２８】
トランシーバ、メモリ、プロセッサ、及び前記メモリに記憶されている、前記プロセッサ上で実行可能なプログラムを含むネットワーク側機器であって、ここで、
前記プロセッサは、メモリ内のプログラムを読み取り、
ＰＤＣＣＨの処理時間、又はＭＡＣ  ＣＥの処理時間に対応する曖昧期間の長さを特定することと、
端末に送信した制御メッセージに基づいて、現在時刻で前記端末が上り信号を送信するか否かを、特定することとを実行することに用いられ、ここで、前記制御メッセージの受信時間と前記現在時刻との差が前記曖昧期間の長さ以上であり、
又は、
プロセスの制御で、前記トランシーバは、前記ＰＤＣＣＨの処理時間、又は前記ＭＡＣ  ＣＥの処理時間に対応する曖昧期間の長さを特定することと、
端末に送信した制御メッセージに基づいて、現在時刻で前記端末が上り信号を送信するか否かを、特定することとに用いられ、ここで、前記制御メッセージの受信時間と前記現在時刻との差が前記曖昧期間の長さ以上であるネットワーク側機器。
【請求項２９】
前記の曖昧期間の長さを特定することは、
ＰＤＣＣＨに搬送されるコンテンツ及びＣＳＩ  ｍａｓｋｉｎｇ設定の少なくとも１つに基づいて、曖昧期間の長さを特定することを含む請求項２８に記載のネットワーク側機器。
【請求項３０】
前記のＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項２９に記載のネットワーク側機器。
【請求項３１】
前記の曖昧期間の長さを特定することは、
曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項２８に記載のネットワーク側機器。
【請求項３２】
前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である、請求項３０又は３１に記載のネットワーク側機器。
【請求項３３】
前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む、請求項２８〜３１のいずれか１項に記載のネットワーク側機器。
【請求項３４】
前記の端末に送信した制御メッセージに基づいて、現在時刻で前記端末が上り信号を送信するか否かを、特定することは、
前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＳＲＳを送信しないことを、特定すること、又は
前記端末にＣＳＩ  ｍａｓｋｉｎｇが設定されている場合、前記端末に送信した制御メッセージに基づいて、現在時刻にｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、前記端末がＣＳＩを送信しないことを、特定すること、又は、
前記端末にＣＳＩ  ｍａｓｋｉｎｇが設定されていない場合、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＣＳＩを送信しないことを、特定することを含む、請求項３３に記載のネットワーク側機器。
【請求項３５】
プロセッサによって実行されると、請求項１〜７のいずれか１項に記載の曖昧期間の長さの特定方法のステップ、又は請求項８〜１４のいずれか１項に記載の曖昧期間の長さの特定方法のステップを実現するコンピュータプログラムを記憶しているコンピュータ可読記憶媒体。
【発明の詳細な説明】
【技術分野】
【０００１】
本願は、２０１８年５月９日に中国に出願された中国特許出願番号２０１８１０４６４４７２．０の優先権を主張し、その内容全体が援用により本明細書に組み込まれる。
本開示は、通信技術分野に関し、特に、曖昧期間の長さの特定方法、端末及びネットワーク側機器に関する。
【背景技術】
【０００２】
端末の省電力化をサポートするために、無線通信システムにおいて、端末が制御チャネルを、継続的に傍受するではなく、部分時間で傍受するＤＲＸ（Ｄｉｓｃｏｎｔｉｎｕｏｕｓ  Ｒｅｃｅｐｔｉｏｎ）メカニズムが導入される。ここで、制御チャネルを傍受する時間が活性化時間（Ａｃｔｉｖｅ  Ｔｉｍｅ）と呼ばれる。実際に実現する際に、端末がＤＲＸメカニズムを採用している場合、連続傍受タイマ（Ｏｎ  ｄｕｒａｔｉｏｎ  Ｔｉｍｅｒ）、上り非連続受信再送タイマ（ＵＬ  ｄｒｘ−Ｒｅｔｒａｎｓｍｉｓｓｉｏｎ  ｔｉｍｅｒ）、下り非連続受信再送タイマ（ＤＬ  ｄｒｘ−Ｒｅｔｒａｎｓｍｉｓｓｉｏｎ  ｔｉｍｅｒ）、及び非連続受信非活性化（ｄｒｘ−Ｉｎａｃｔｉｖｉｔｙ）タイマなどの複数のタイマを起動できる。それらの任意のタイマが動作している間、端末が制御チャネルを傍受する。しかしながら、ＮＲ（Ｎｅｗ  Ｒａｄｉｏ）システムでは、ネットワーク側機器と端末とが端末のＡｃｔｉｖｅ  Ｔｉｍｅに対して曖昧期間を持つという問題がある。曖昧期間とは、ネットワーク側機器と端末とが、端末が現在Ａｃｔｉｖｅ  Ｔｉｍｅにあるか否かについての不一致の理解がある期間の長さであり、それにより、ネットワーク側機器は端末がＣＳＩ（Ｃｈａｎｎｅｌ  Ｓｔａｔｅ  Ｉｎｆｏｒｍａｔｉｏｎ）、ＳＲＳ（Ｓｏｕｎｄｉｎｇ  Ｒｅｆｅｒｅｎｃｅ  Ｓｉｇｎａｌ）（あるいはパイロット信号と呼ばれてよい）を送信するか否かを特定できなく、また、端末が同時刻に送信すべきＣＳＩとＨＡＲＱ  ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）がある場合、ネットワーク側機器は、端末が使用するＣＳＩとＨＡＲＱ  ＡＣＫ／ＮＡＣＫ伝送モードを特定できない。そのため、ネットワーク側機器は、端末がＣＳＩ／ＳＲＳを伝送しているか否かや、ＣＳＩとＨＡＲＱ  ＡＣＫ／ＮＡＣＫとに多重化をしているか否かをブラインドチェックし、無線通信システムの通信性能が劣化する可能性がある。
【発明の概要】
【０００３】
本開示の実施例は、無線通信システムの通信性能が劣化する問題を解決するための曖昧期間の長さの特定方法、端末、及びネットワーク側機器を提供する。
【０００４】
本開示の実施例が、上記目的を達成するために提供する曖昧期間の長さの特定方法は、
端末は、ＰＤＣＣＨ（Ｐｈｙｓｉｃａｌ  Ｄｏｗｎｌｉｎｋ  Ｃｏｎｔｒｏｌ  Ｃｈａｎｎｅｌ）の処理時間、又はＭＡＣ  ＣＥ（Ｍｅｄｉａ  Ａｃｃｅｓｓ  Ｃｏｎｔｒｏｌ  Ｃｏｎｔｒｏｌ  Ｅｌｅｍｅｎｔ）の処理時間に対応する曖昧期間の長さを特定することと、
前記端末は、受信した制御メッセージに基づいて、現在時刻で上り信号を送信するか否かを特定することとを含み、ここで、前記制御メッセージの受信時間と前記現在時刻との差が前記曖昧期間の長さ以上である。
【０００５】
選択的に、前記の端末は曖昧期間の長さを特定することは、
前記端末は、ＰＤＣＣＨに搬送されるコンテンツ及びＣＳＩ  ｍａｓｋｉｎｇ（Ｃｈａｎｎｅｌ  Ｓｔａｔｅ  Ｉｎｆｏｒｍａｔｉｏｎ  ｍａｓｋｉｎｇ）設定の少なくとも１つに基づいて、曖昧期間の長さを特定することを含む。
【０００６】
選択的に、前記端末は、ＰＤＣＣＨに搬送されるコンテンツ及びＣＳＩ  ｍａｓｋｉｎｇ設定の少なくとも１つに基づいて、曖昧期間の長さを特定することは、
端末にＣＳＩ  ｍａｓｋｉｎｇが設定されておらず、前記ＰＤＣＣＨに搬送されるコンテンツが上りグラント（Ｕｐ  Ｌｉｎｋ  ｇｒａｎｔ、ＵＬ  ｇｒａｎｔ）である場合、前記端末は曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツが下り割り当て（Ｄｏｗｎ  Ｌｉｎｋ  ａｓｓｉｇｎｍｅｎｔ、ＤＬ  ａｓｓｉｇｎｍｅｎｔ）である場合、前記端末は曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、前記端末は、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨ（Ｐｈｙｓｉｃａｌ  Ｄｏｗｎｌｉｎｋ  Ｓｈａｒｅｄ  Ｃｈａｎｎｅｌ）との間の間隔時間の長さであり、前記Ｋ１はＰＤＳＣＨとそれに対応するＨＡＲＱ（Ｈｙｂｒｉｄ  Ａｕｔｏｍａｔｉｃ  Ｒｅｐｅａｔ  Ｒｅｑｕｅｓｔ）フィードバックとの間の間隔時間の長さである。
【０００７】
選択的に、前記の端末は曖昧期間の長さを特定することは、
前記端末は、曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０００８】
選択的に、前記Ｋ０は、ＲＲＣ（Ｒａｄｉｏ  Ｒｅｓｏｕｒｃｅ  Ｃｏｎｔｒｏｌ）シグナリング設定で許容される最大Ｋ０値、又は、前記Ｋ０は、帯域幅ＢＷＰ（Ｂａｎｄｗｉｄｔｈ  Ｐａｒｔ）の変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【０００９】
選択的に、前記制御メッセージは、
下りスケジューリングシグナリング、上りスケジューリングシグナリング、スケジューリング要求、及びＤＲＸ（Ｄｉｓｃｏｎｔｉｎｕｏｕｓ  Ｒｅｃｅｐｔｉｏｎ）  ＭＡＣ  ＣＥのうちの少なくとも１つを含み、
前記上り信号は、ＣＳＩ及びＳＲＳの少なくとも１つを含む。
【００１０】
選択的に、前記端末は、受信した制御メッセージに基づいて、現在時刻で上り信号を送信するか否かを特定することは、
前記端末は、受信した前記制御メッセージに基づいて、現在時刻が活性化時間（Ａｃｔｉｖｅ  Ｔｉｍｅ）に属するか否かを特定し、Ａｃｔｉｖｅ  Ｔｉｍｅに属しない場合は、ＳＲＳを送信しないこと、又は、
前記端末にＣＳＩ  ｍａｓｋｉｎｇが設定されている場合、前記端末は、受信した前記制御メッセージに基づいて、現在時刻に連続傍受タイマ（ｏｎ  ｄｕｒａｔｉｏｎ  ｔｉｍｅｒ）が動作しているか否かを特定し、前記ｏｎ  ｄｕｒａｔｉｏｎ  ｔｉｍｅｒが動作していない場合は、ＣＳＩを送信しないこと、又は、
前記端末にＣＳＩ  ｍａｓｋｉｎｇが設定されていない場合、前記端末が、受信した前記制御メッセージに基づいて、現在時刻がＡｃｔｉｖｅ  Ｔｉｍｅに属するか否かを特定し、Ａｃｔｉｖｅ  Ｔｉｍｅに属しない場合は、ＣＳＩを送信しないこと、を含む。
【００１１】
本開示がさらに提供する曖昧期間の長さの特定方法は、
ネットワーク側機器は、ＰＤＣＣＨの処理時間、又はＭＡＣ  ＣＥの処理時間に対応する曖昧期間の長さを特定することと、
前記ネットワーク側機器は、端末に送信した制御メッセージに基づいて、現在時刻で前記端末が上り信号を送信するか否かを、特定することとを含み、ここで、前記制御メッセージの受信時間と前記現在時刻との差が前記曖昧期間の長さ以上である。
【００１２】
選択的に、前記のネットワーク側機器は曖昧期間の長さを特定することは、
前記ネットワーク側機器は、ＰＤＣＣＨに搬送されるコンテンツ及びＣＳＩ  ｍａｓｋｉｎｇ設定の少なくとも１つに基づいて、曖昧期間の長さを特定することを含む。
【００１３】
選択的に、前記ネットワーク側機器は、ＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、前記ネットワーク側機器は曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記ネットワーク側機器は曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、前記ネットワーク側機器は、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００１４】
選択的に、前記のネットワーク側機器は曖昧期間の長さを特定することは、
前記ネットワーク側機器は、曖昧期間の長さがＫ０、Ｋ１及び前記ＭＡＣ  ＣＥの処理時間の合計に等しいことを特定することを含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００１５】
選択的に、前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【００１６】
選択的に、前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む。
【００１７】
選択的に、前記ネットワーク側機器は、端末に送信した制御メッセージに基づいて、現在時刻で前記端末が上り信号を送信するか否かを、特定することは、
前記ネットワーク側機器は、端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＳＲＳを送信しないことを、特定すること、又は、
前記端末にＣＳＩ  ｍａｓｋｉｎｇが設定されている場合、前記ネットワーク側機器は、前記端末に送信した制御メッセージに基づいて、現在時刻にｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、前記端末がＣＳＩを送信しないことを、特定すること、又は、
前記端末にＣＳＩ  ｍａｓｋｉｎｇが設定されていない場合、前記ネットワーク側機器は、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＣＳＩを送信しないことを、特定することを含む。
【００１８】
本開示の実施例がさらに提供する端末は、
ＰＤＣＣＨの処理時間、又はＭＡＣ  ＣＥの処理時間に対応する曖昧期間の長さを特定することに用いられる第１特定モジュールと、
受信した制御メッセージに基づいて、現在時刻で上り信号を送信するか否かを特定することに用いられる第２特定モジュールとを含み、ここで、前記制御メッセージの受信時間と前記現在時刻との差が前記曖昧期間の長さ以上である。
【００１９】
選択的に、前記第１特定モジュールは、ＰＤＣＣＨに搬送されるコンテンツ及びＣＳＩ  ｍａｓｋｉｎｇ設定の少なくとも１つに基づいて、曖昧期間の長さを特定することに用いられる。
【００２０】
選択的に、前記第１特定モジュールは、前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定することに用いられ、又は、
前記第１特定モジュールは、前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記曖昧期間の長さがＫ０、Ｋ１及び前記ＭＡＣ  ＣＥの処理時間の合計に等しいことを特定することに用いられ、又は、
前記第１特定モジュールは、前記端末にＣＳＩ  ｍａｓｋｉｎｇが設定されている場合、曖昧期間の長さがＫ１及び前記ＭＡＣ  ＣＥの処理時間の合計に等しいことを特定することに用いられ、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００２１】
本開示の実施例がさらに提供するネットワーク側機器は、
ＰＤＣＣＨの処理時間、又はＭＡＣ  ＣＥの処理時間に対応する曖昧期間の長さを特定することに用いられる第１特定モジュールと、
端末に送信した制御メッセージに基づいて、現在時刻で前記端末が上り信号を送信するか否かを特定することに用いられる第２特定モジュールとを含み、ここで、前記制御メッセージの受信時間と前記現在時刻との差が前記曖昧期間の長さ以上である。
【００２２】
選択的に、前記第１特定モジュールは、ＰＤＣＣＨに搬送されるコンテンツ及びＣＳＩ  ｍａｓｋｉｎｇ設定の少なくとも１つに基づいて、曖昧期間の長さを特定することに用いられる。
【００２３】
選択的に、前記第１特定モジュールは、前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定することに用いられ、又は、
前記第１特定モジュールは、前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記曖昧期間の長さがＫ０、Ｋ１及び前記ＭＡＣ  ＣＥの処理時間の合計に等しいことを特定することに用いられ、又は、
前記第１特定モジュールは、前記端末にＣＳＩ  ｍａｓｋｉｎｇが設定されている場合、曖昧期間の長さがＫ１及び前記ＭＡＣ  ＣＥの処理時間の合計に等しいことを特定することに用いられ、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００２４】
本開示の実施例がさらに提供する端末は、トランシーバ、メモリ、プロセッサ、及びメモリに記憶されている、前記プロセッサ上で実行可能なプログラムを含み、
前記プロセッサは、メモリ内のプログラムを読み取り、
ＰＤＣＣＨの処理時間、又はＭＡＣ  ＣＥの処理時間に対応する曖昧期間の長さを特定することと、
受信した制御メッセージに基づいて、現在時刻で上り信号を送信するか否かを特定することとを実行することに用いられ、ここで、前記制御メッセージの受信時間と前記現在時刻との差が前記曖昧期間の長さ以上であり、
又は、
プロセスの制御で、前記トランシーバは、ＰＤＣＣＨの処理時間、又はＭＡＣ  ＣＥの処理時間に対応する曖昧期間の長さを特定することと、
受信した制御メッセージに基づいて、現在時刻で上り信号を送信するか否かを特定することとに用いられ、ここで、前記制御メッセージの受信時間と前記現在時刻との差が前記曖昧期間の長さ以上である。
選択的に、前記の曖昧期間の長さを特定することは、
ＰＤＣＣＨに搬送されるコンテンツ及びＣＳＩ  ｍａｓｋｉｎｇ設定の少なくとも１つに基づいて、曖昧期間の長さを特定することを含む。
【００２５】
選択的に、前記のＰＤＣＣＨに搬送されるコンテンツ及びＣＳＩ  ｍａｓｋｉｎｇ設定の少なくとも１つに基づいて、曖昧期間の長さを特定することは、
端末にＣＳＩ  ｍａｓｋｉｎｇが設定されておらず、前記ＰＤＣＣＨに搬送されるコンテンツが上りグラント（ＵＬ  ｇｒａｎｔ）である場合、曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、曖昧期間の長さがＫ１及び前記ＭＡＣ  ＣＥの処理時間の合計に等しいことを特定すること、を含み、
ここで、Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００２６】
選択的に、前記の曖昧期間の長さを特定することは、
曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００２７】
選択的に、前記Ｋ０は、ＲＲＣシグナリング設定で許容される最大Ｋ０値、又は、前記Ｋ０は、帯域幅ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【００２８】
選択的に、前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む。
【００２９】
選択的に、前記の受信した制御メッセージに基づいて、現在時刻で上り信号を送信するか否かを、特定することは、
受信した前記制御メッセージに基づいて、現在時刻が活性化時間（Ａｃｔｉｖｅ  Ｔｉｍｅ）に属するか否かを特定し、Ａｃｔｉｖｅ  Ｔｉｍｅに属しない場合は、ＳＲＳを送信しないこと、又は、
前記端末にＣＳＩ  ｍａｓｋｉｎｇが設定されている場合、受信した前記制御メッセージに基づいて、現在時刻に連続傍受タイマ（ｏｎ  ｄｕｒａｔｉｏｎ  ｔｉｍｅｒ）が動作しているか否かを特定し、前記ｏｎ  ｄｕｒａｔｉｏｎ  ｔｉｍｅｒが動作していない場合は、ＣＳＩを送信しないこと、又は、
前記端末にＣＳＩ  ｍａｓｋｉｎｇが設定されていない場合、受信した前記制御メッセージに基づいて、現在時刻がＡｃｔｉｖｅ  Ｔｉｍｅに属するか否かを特定し、Ａｃｔｉｖｅ  Ｔｉｍｅに属しない場合は、ＣＳＩを送信しないこと、を含む。
【００３０】
本開示の実施例がさらに提供するネットワーク側機器は、トランシーバ、メモリ、プロセッサ、及びメモリに記憶されている、前記プロセッサ上で実行可能なプログラムを含み、
前記プロセッサは、メモリ内のプログラムを読み取り、
ＰＤＣＣＨの処理時間、又はＭＡＣ  ＣＥの処理時間に対応する曖昧期間の長さを特定することと、
端末に送信した制御メッセージに基づいて、現在時刻で前記端末が上り信号を送信するか否かを、特定することとを実行することに用いられ、ここで、前記制御メッセージの受信時間と前記現在時刻との差が前記曖昧期間の長さ以上であり、
又は、
プロセスの制御で、前記トランシーバは、前記ＰＤＣＣＨの処理時間、又は前記ＭＡＣ  ＣＥの処理時間に対応する曖昧期間の長さを特定することと、
端末に送信した制御メッセージに基づいて、現在時刻で前記端末が上り信号を送信するか否かを、特定することとに用いられ、ここで、前記制御メッセージの受信時間と前記現在時刻との差が前記曖昧期間の長さ以上である。
【００３１】
選択的に、前記の曖昧期間の長さを特定することは、
ＰＤＣＣＨに搬送されるコンテンツ及びＣＳＩ  ｍａｓｋｉｎｇ設定の少なくとも１つに基づいて、曖昧期間の長さを特定することを含む。
【００３２】
選択的に、前記のＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００３３】
選択的に、前記の曖昧期間の長さを特定することは、
曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００３４】
選択的に、前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【００３５】
選択的に、前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む。
【００３６】
選択的に、前記の端末に送信した制御メッセージに基づいて、現在時刻で前記端末が上り信号を送信するか否かを、特定することは、
前記ネットワーク側機器は、端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＳＲＳを送信しないことを、特定すること、又は、
前記端末にＣＳＩ  ｍａｓｋｉｎｇが設定されている場合、前記端末に送信した制御メッセージに基づいて、現在時刻にｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、前記端末がＣＳＩを送信しないことを、特定すること、又は、
前記端末にＣＳＩ  ｍａｓｋｉｎｇが設定されていない場合、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＣＳＩを送信しないことを、特定することを含む。
【００３７】
本開示は、プロセッサによって実行されると、本開示で提供される端末側の曖昧期間の長さの特定方法のステップを実現するコンピュータプログラム、又は、プロセッサによって実行されると、本開示で提供されるネットワークノード側機器の曖昧期間の長さの特定方法のステップを実現するコンピュータプログラムが記憶されているコンピューター可読記憶媒体を提供する。
【００３８】
本開示の実施例では、端末は、ＰＤＣＣＨの処理時間、又はＭＡＣ  ＣＥの処理時間に対応する曖昧期間の長さを特定することと、前記端末は、受信した制御メッセージに基づいて、現在時刻で上り信号を送信するか否かを特定し、ここで、前記制御メッセージの受信時間と前記現在時刻との差が前記曖昧期間の長さ以上である。これにより、曖昧期間の長さに基づいて、上りメッセージを送信するか否かを特定することができ、ネットワーク側機器と端末との間の伝送エラーを低減して、無線通信システムの通信性能を向上させるとともに、ネットワーク側機器による不要なブラインドチェックを回避することもできる。
【図面の簡単な説明】
【００３９】
【図１】本開示の実施例に適用可能なネットワークの構成の概略図である。
【図２】本開示の実施例に係る曖昧期間の長さの特定方法のフローチャートである。
【図３】本開示の実施例に係るＤＲＸ周期のスイッチングの概略図である。
【図４】本開示の実施例に係る曖昧期間の長さの概略図である。
【図５】本開示の実施例に係る別の曖昧期間の長さの概略図である。
【図６】本開示の実施例に係る別のＤＲＸ周期のスイッチングの概略図である。
【図７】本開示の実施例に係る別の曖昧期間の長さの概略図である。
【図８】本開示の実施例に係る別のＤＲＸ周期のスイッチングの概略図である。
【図９】本開示の実施例に係る別の曖昧期間の長さの概略図である。
【図１０】本開示の実施例に係る別の曖昧期間の長さの特定方法のフローチャートである。
【図１１】本開示の実施例に係る端末の構成図である。
【図１２】本開示の実施例に係るネットワーク側機器の構成図である。
【図１３】本開示の実施例に係る別の端末の構成図である。
【図１４】本開示の実施例に係る別のネットワーク側機器の構成図である。
【発明を実施するための形態】
【００４０】
本開示の解決しようとする技術問題、技術手段、及びメリットをより明確にするために、添付の図面及び特定の実施例を参照して以下に詳細に説明する。
【００４１】
本開示の実施例に適用可能なネットワークの構成の概略図である図１を参照すると、端末機器１１とネットワーク側機器１２とを含み、端末１１は、ＵＥ（Ｕｓｅｒ  Ｅｑｕｉｐｍｅｎｔ）、又は、携帯電話、タブレット（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（ＭｏｂｉｌｅインターネットＤｅｖｉｃｅ）、ウェアラブルデバイス（Ｗｅａｒａｂｌｅ  Ｄｅｖｉｃｅ）などの他の端末機器であり、なお、本開示の実施例では、端末の具体的なタイプは限定されない。ネットワーク側機器１２は、例えば、マクロ局、ＬＴＥ  ｅＮＢ、５Ｇ  ＮＲ  ＮＢ等の基地局であってもよいし、ネットワーク側機器はＬＰＮ（ｌｏｗ  ｐｏｗｅｒ  ｎｏｄｅ）、ｐｉｃｏ、ｆｅｍｔｏ等の小局であってもよいし、又は、ネットワーク側機器はＡＰ（ａｃｃｅｓｓ  ｐｏｉｎｔ）であってもよい。基地局は、ＣＵ（ｃｅｎｔｒａｌ  ｕｎｉｔ）とそれが管理・制御する複数のＴＲＰ（Ｔｒａｎｓｍｉｓｓｉｏｎ  Ｒｅｃｅｐｔｉｏｎ  Ｐｏｉｎｔ）とが一緒に構成するネットワークノードであってもよい。なお、本開示の実施例では、ネットワーク側機器の具体的なタイプは限定されない。
【００４２】
本開示の実施例に係る曖昧期間の長さの特定方法のフローチャートである図２を参照すると、その方法は、
端末は、ＰＤＣＣＨの処理時間、又はＭＡＣ  ＣＥの処理時間に対応する曖昧期間の長さを特定するステップ２０１と、
前記端末は、受信した制御メッセージに基づいて、現在時刻で上り信号を送信するか否かを特定するステップ２０２とを含み、
ここで、前記制御メッセージの受信時間と前記現在時刻との差が前記曖昧期間の長さ以上である。
【００４３】
本開示の実施例では、曖昧期間とは、ネットワーク側機器と端末とが、端末が現在Ａｃｔｉｖｅ  Ｔｉｍｅにあるか否かについての不一致の理解がある期間の長さであってもよい。
【００４４】
上記ＰＤＣＣＨの処理時間は、端末がＰＤＣＣＨを処理するのに要する時間であってもよい。例えば、上記ＰＤＣＣＨの処理時間は、ＰＤＣＣＨの解析時間を含む。もちろん、上記ＰＤＣＣＨの処理時間は、端末に予め設定されたもの、プロトコルで予め定義されたもの、又はネットワーク側機器が端末に予め設定したものなどであってよく、ここで限定されない。
【００４５】
また、上記曖昧期間の長さが、ＰＤＣＣＨの処理時間に対応するのは、曖昧期間の長さとＰＤＣＣＨの処理時間との間に一定の関係があると理解することができ、例えば、一部の実施例では、曖昧期間の長さがＰＤＣＣＨの処理時間に等しいので、ＰＤＣＣＨの処理時間に起因する、ネットワーク側機器と端末とによる端末のＡｃｔｉｖｅ  Ｔｉｍｅについての不一致の理解の問題を回避し、ネットワーク側機器による不要なブラインドチェックを回避し、無線通信システムの通信性能を向上させることができる。
【００４６】
上記ＭＡＣ  ＣＥの処理時間は、端末がＭＡＣ  ＣＥを処理するのに要する時間であってもよい。例えば、上記ＭＡＣ  ＣＥの処理時間は、ＭＡＣ  ＣＥの解析時間を含む。なお、本開示の実施例では、ＭＡＣ  ＣＥの処理時間は、固定値、例えば０．５ｍｓ又は０ｍｓ等であってもよい。具体的には、端末がＰＤＳＣＨとそれに対応するＨＡＲＱフィードバックとの間の間隔時間の長さでＭＡＣ  ＣＥの解析を完了できる場合、ＭＡＣ  ＣＥの処理時間が０ｍｓであることを特定できる。なぜならば、この場合、端末はＭＡＣ  ＣＥを処理するために余分な時間を必要としないからである。
【００４７】
上記曖昧期間の長さが、ＭＡＣ  ＣＥの処理時間に対応するのは、曖昧期間の長さとＭＡＣ  ＣＥの処理時間との間に対応関係があると理解でき、例えば、曖昧期間の長さはＭＡＣ  ＣＥの処理時間に固定値を加えた値に等しいか、又は曖昧期間の長さはＫ０、Ｋ１及びＭＡＣ  ＣＥ処理時間の合計に等しく、ここで、Ｋ０は、ＰＤＣＣＨとそれがスケジューリングしたＰＤＳＣＨとの間の間隔時間の長さであり、Ｋ１はＰＤＳＣＨとそれに対応するＨＡＲＱフィードバックとの間の間隔時間の長さである。曖昧期間の長さは、ＭＡＣ  ＣＥの処理時間に対応するので、端末のＡｃｔｉｖｅ  Ｔｉｍｅについての、ネットワーク側機器と端末とによる不一致の理解の問題を回避し、ネットワーク側機器による不要なブラインドチェックを回避し、無線通信システムの通信性能を向上させることができる。
【００４８】
また、上記端末が、受信した制御メッセージに基づいて、現在時刻で、上り信号を送信するか否かを特定するのは、端末が、時刻Ｎで、時刻Ｎから曖昧期間を差し引いて得られる時刻の前に受信した制御メッセージに基づいて、上り信号を送信するか否かを特定することであってよく、ここで、上記時刻Ｎは現在時刻であり、ステップ２０２の実行時刻とも理解することができる。例えば、上記曖昧期間の長さは１０ｍｓであり、上記時刻Ｎの１０ｍｓ前に受信した制御メッセージに基づいて、上り信号を送信するか否かを特定する。
【００４９】
本開示の実施例において、前記制御メッセージは、
下りスケジューリングシグナリング、上りスケジューリングシグナリング、スケジューリング要求、及びＤＲＸ  ＭＡＣ  ＣＥのうちの少なくとも１つを含み得る、
前記上り信号は、ＣＳＩ及びＳＲＳの少なくとも１つを含み得る、
ここで、上記ＤＲＸ  ＭＡＣ  ＣＥは、従来のＤＲＸ  ＭＡＣ  ＣＥやロング（Ｌｏｎｇ）ＤＲＸ  ＭＡＣ  ＣＥ等を含み得るが、これに限定されず、例えば、ショート（ｓｈｏｒｔ）ＤＲＸ  ＭＡＣ  ＣＥであってもよい。
【００５０】
また、上記上りメッセージには、ＨＡＲＱ  ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）などの他のメッセージを含み得る。
【００５１】
上記の端末が受信した制御メッセージに基づいて、現在時刻で上り信号を送信するか否かを特定することは、
前記端末は、受信した前記制御メッセージに基づいて、現在時刻が活性化時間（Ａｃｔｉｖｅ  Ｔｉｍｅ）に属するか否かを特定し、Ａｃｔｉｖｅ  Ｔｉｍｅに属しない場合は、ＳＲＳを送信しないこと、又は、
前記端末にＣＳＩ  ｍａｓｋｉｎｇが設定されている場合、前記端末は、受信した前記制御メッセージに基づいて、現在時刻に連続傍受タイマ（ｏｎ  ｄｕｒａｔｉｏｎ  ｔｉｍｅｒ）が動作しているか否かを特定し、前記ｏｎ  ｄｕｒａｔｉｏｎ  ｔｉｍｅｒが動作していない場合は、ＣＳＩを送信しないこと、又は、
前記端末にＣＳＩ  ｍａｓｋｉｎｇが設定されていない場合、前記端末が、受信した前記制御メッセージに基づいて、現在時刻がＡｃｔｉｖｅ  Ｔｉｍｅに属するか否かを特定し、Ａｃｔｉｖｅ  Ｔｉｍｅに属しない場合は、ＣＳＩを送信しないこと、を含む。
【００５２】
該実施例では、時刻Ｎから曖昧期間を差し引いて得られる時刻の前に受信した制御メッセージに基づいて、現在時刻でＣＳＩ又はＳＲＳを送信するか否かを特定することで、端末がＣＳＩ又はＳＲＳを送信するか否かについての、ネットワーク側機器と端末とによる不一致の理解の問題を回避し、ネットワーク側機器と端末との間に、ＣＳＩとＳＲＳの正確な伝送が可能になり、ネットワーク側機器による不要なブラインドチェックを回避し、無線通信システムの通信性能を向上させることができる。
【００５３】
本開示の実施例では、ステップ２０１及びステップ２０２により、端末のＡｃｔｉｖｅ  Ｔｉｍｅについての、ネットワーク側機器及び端末による不一致の理解の問題を回避することができ、これにより、ステップ２０２の判定結果に基づいて上りメッセージの伝送が行われるため、ネットワーク側機器と端末との間でＣＳＩ、ＳＲＳ、ＡＣＫ、又はＮＡＣＫ等のメッセージの正確な伝送することを保証するとともに、不要なブラインドチェックを回避し、省電力化の効果を達することができる。
【００５４】
選択的な実施形態として、前記の端末は曖昧期間の長さを特定することは、
前記端末は、ＰＤＣＣＨに搬送されるコンテンツ及びＣＳＩ  ｍａｓｋｉｎｇ設定の少なくとも１つに基づいて、曖昧期間の長さを特定することを含み、
ここで、上記ＰＤＣＣＨに搬送されるコンテンツは、例えばＵＬ  ｇｒａｎｔや下りスケジューリングなどのＰＤＣＣＨスケジューリングのコンテンツであってもよく、上記ＣＳＩ  ｍａｓｋｉｎｇ設定は、例えば、端末にＣＳＩ  ｍａｓｋｉｎｇが設定されており、又は端末にＣＳＩ  ｍａｓｋｉｎｇが設定されていないなどの、端末のＣＳＩ  ｍａｓｋｉｎｇ設定であってもよい。
【００５５】
なお、ＰＤＣＣＨに搬送されるコンテンツ及びＣＳＩ  ｍａｓｋｉｎｇ設定の少なくとも１つに基づいて、曖昧期間の長さを特定することは、ＰＤＣＣＨに搬送されるコンテンツ又はＣＳＩ  ｍａｓｋｉｎｇ設定に基づいて、曖昧期間の長さを特定すると理解してよければ、また、ＰＤＣＣＨに搬送されるコンテンツとＣＳＩ  ｍａｓｋｉｎｇ設定とに基づいて、曖昧期間の長さを特定すると理解してよい。
【００５６】
該実施形態では、ＰＤＣＣＨに搬送されるコンテンツ及びＣＳＩ  ｍａｓｋｉｎｇ設定の少なくとも１つに基づいて、曖昧期間の長さを特定することで、異なるシーンによって、異なる曖昧期間の長さを特定して、曖昧期間の長さの精度を向上させる。
【００５７】
選択的に、前記端末は、ＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、前記端末は、曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記端末は、曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、前記端末は、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００５８】
上記ＰＤＣＣＨとそれがスケジューリングするＰＤＳＣＨとの間の間隔時間の長さは、ＤＬ  ａｓｓｉｇｎｍｅｎｔのＰＤＣＣＨとそれがスケジューリングするＰＤＳＣＨとの間のタイミング関係とも称されてよければ、上記ＰＤＳＣＨとそれに対応するＨＡＲＱフィードバックとの間の間隔時間の長さは、ＰＤＳＣＨとＰＤＳＣＨに対応するＨＡＲＱ  ＡＣＫ／ＨＡＲＱ  ＮＡＣＫフィードバックとの間のタイミング関係とも称されてよくなる。
【００５９】
該実施形態では、前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定することで、ＰＤＣＣＨに起因する、ネットワーク側機器及び端末による端末のＡｃｔｉｖｅ  Ｔｉｍｅについての不一致の理解を回避することができ、ネットワーク側機器と端末との間にＣＳＩ、ＳＲＳ、ＡＣＫ、ＮＡＣＫ等の上りメッセージの正確な伝送を保証し、不要なブラインドチェックを回避し、省電力化の効果を達することができる。
【００６０】
また、該実施形態では、前記端末にＣＳＩ  ｍａｓｋｉｎｇが設定されておらず、ＰＤＣＣＨに搬送されるコンテンツがＵＬ  ｇｒａｎｔでない場合、曖昧期間の長さがＫ０、Ｋ１及び前記ＭＡＣ  ＣＥの処理時間の合計に等しいことを特定することができ、すなわち、この場合、曖昧期間の長さはＫ０＋Ｋ１＋ＭＡＣ  ＣＥの処理時間に等しくなる。これにより、ＰＤＣＣＨの受信時間と、ＭＡＣ  ＣＥの処理時間とに起因する、ネットワーク側機器及び端末による端末のＡｃｔｉｖｅ  Ｔｉｍｅについての不一致の理解の問題を回避することができ、ネットワーク側機器と端末との間にＣＳＩ、ＳＲＳ、ＡＣＫ、ＮＡＣＫ等の上りメッセージの正確な伝送を保証し、不要なブラインドチェックを回避し、省電力化の効果を達することができる。
【００６１】
また、該実施形態では、端末にＣＳＩ  ｍａｓｋｉｎｇが設定されている場合、曖昧期間の長さがＫ１及び前記ＭＡＣ  ＣＥの処理時間の合計に等しいことを特定することが実現され得る。すなわち、端末にＣＳＩ  ｍａｓｋｉｎｇが設定され、ＰＤＣＣＨスケジューリングのコンテンツにかかわらず曖昧期間の長さはＫ１＋ＭＡＣ  ＣＥの処理時間に等しい。同様、ＰＤＳＣＨの受信時間とＭＡＣ  ＣＥの処理時間とに起因する、ネットワーク側機器及び端末による端末のＡｃｔｉｖｅ  Ｔｉｍｅについての不一致の理解を回避することができ、ネットワーク側機器と端末との間にＣＳＩ、ＳＲＳ、ＡＣＫ、ＮＡＣＫ等の上りメッセージの正確な伝送を保証し、不要なブラインドチェックを回避し、省電力化の効果を達することができる。
【００６２】
別の選択的な実施形態では、前記の端末は曖昧期間の長さを特定することは、
前記端末は、曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【００６３】
該実施形態では、曖昧期間の長さをＫ０、Ｋ１及び前記ＭＡＣ  ＣＥの処理時間の合計として固定することが実現され得る。すなわち、ＰＵＣＣＨに搬送されるコンテンツ、及び、端末にＣＳＩ  ｍａｓｋｉｎｇが設定されているか否かにかかわらず、曖昧期間の長さは、常にＫ０＋Ｋ１＋ＭＡＣ  ＣＥの処理時間に等しい。ネットワーク側機器及び端末による端末のＡｃｔｉｖｅ  Ｔｉｍｅについての不一致の理解を回避することができ、ネットワーク側機器と端末との間にＣＳＩ、ＳＲＳ、ＡＣＫ、ＮＡＣＫ等の上りメッセージの正確な伝送を保証し、また、不要なブラインドチェックを回避し得、省電力化の効果を達することができる。
【００６４】
選択的に、本開示の実施例では、前記Ｋ０は、ＲＲＣシグナリング設定で許容される最大Ｋ０値、又は、前記Ｋ０は、ＢＷＰの変更に必要な時間の長さに固定された固定値である。
【００６５】
ＲＲＣシグナリング設定で許容される最大Ｋ０値を採用するため、端末のＡｃｔｉｖｅ  Ｔｉｍｅについての、ネットワーク側機器及び端末による不一致の理解の問題を回避することができる。また、上記Ｋ０は、ＢＷＰの変更に必要な時間の長さ（例えば２ｍｓ）であり、これにより、ＢＷＰの変更に起因する、ネットワーク側機器及び端末による、端末のＡｃｔｉｖｅ  Ｔｉｍｅについての不一致の理解の問題を少なくとも回避できる。
【００６６】
選択的に、本開示の実施例では、前記Ｋ１は、ＲＲＣ設定シグナリング設定で許容される最大Ｋ１値であり、又は、前記Ｋ１は固定値である。
【００６７】
ＲＲＣ設定シグナリング設定で許容される最大Ｋ１値を採用するため、端末のＡｃｔｉｖｅ  Ｔｉｍｅについての、ネットワーク側機器及び端末による不一致の理解の問題を回避することができる。上記固定値は１ｍｓであってよく、又は、プロトコルで定義される他の固定値であってよい。Ｋ１値が固定値であってもよいので、曖昧期間の長さを特定する複雑さをある程度で低減することができる。
【００６８】
選択的に、本開示では、前記ＭＡＣ  ＣＥの処理時間は固定値である。
【００６９】
例えば、ＭＡＣ  ＣＥの解析がＫ１内で完了できなければ、ＭＡＣ  ＣＥの処理時間は０．５ｍｓなどのゼロ以外の固定値になる。
【００７０】
例えば、ＭＡＣ  ＣＥの解析がＫ１内で完了できれば、ＭＡＣ  ＣＥの処理時間は０ｍｓになる。
【００７１】
該実施形態では、ＭＡＣ  ＣＥ処理時間の値が固定値（例えば、ＭＡＣ  ＣＥの解析が前記Ｋ１内で完了できない場合、前記ＭＡＣ  ＣＥの処理時間がゼロ以外の固定値であり、逆の場合に、前記ＭＡＣ  ＣＥの処理時間が０ｍｓであり）であることで、ＭＡＣ  ＣＥの処理時間に起因する、ネットワーク側機器と端末とによる、端末のＡｃｔｉｖｅ  Ｔｉｍｅについての不一致の理解の問題を少なくとも回避することができる。
【００７２】
本開示の実施例では、端末は、ＰＤＣＣＨの処理時間、又はＭＡＣ  ＣＥの処理時間に対応する曖昧期間の長さを特定し、前記端末は、受信した制御メッセージに基づいて、現在時刻で上り信号を送信するか否かを特定し、ここで、前記制御メッセージの受信時間と前記現在時刻との差が前記曖昧期間の長さ以上であることで、曖昧期間の長さに基づいて、上りメッセージを送信するか否かを特定することができ、ネットワーク側機器と端末との間の伝送エラーを低減して、無線通信システムの通信性能を向上させるとともに、ネットワーク側機器による不要なブラインドチェックを回避することもできる。
【００７３】
次に、図２に示す実施例に係る曖昧期間の長さの特定方法を３つの実施例で例示する。
【００７４】
実施例１：端末にＣＳＩ  ｍａｓｋｉｎｇが設定されていない。
【００７５】
端末が現在ロングＤＲＸ（ｌｏｎｇ  ＤＲＸ）にあると仮定すると、図３に示すように、ｏｎ  ｄｕｒａｔｉｏｎ  Ｔｉｍｅｒが終了する前にＰＤＣＣＨを受信し、ＤＲＸ  ＭＡＣ  ＣＥをスケジューリングし、端末にｌｏｎｇ  ＤＲＸからショートＤＲＸ（ｓｈｏｒｔ  ＤＲＸ）に切り替えさせる。
【００７６】
このケースでは、ＣＳＩ  ｍａｓｋｉｎｇが設定していなければ、
ＰＤＣＣＨコンテンツにはＵＬ  ｇｒａｎｔを搬送する場合、曖昧期間の長さはＰＤＣＣＨ処理時間に等しくなり、
そうでないと、曖昧期間の長さはいずれも、Ｋ０＋Ｋ１＋ＭＡＣ  ＣＥの処理時間に設定される。
【００７７】
ここで、各パラメータの値は次のように計算される。
【００７８】
Ｋ０の値は、以下の幾つかの方法で計算されてよい。
【００７９】
ＲＲＣ設定に基づいて、曖昧期間を計算するときにＫ０は常にＲＲＣ設定の最大Ｋ０値を取り、又は、
Ｋ０の値は、ＢＷＰが変更されるか否かに関係しており、曖昧期間を計算する場合には、Ｋ０の値はＢＷＰの変更の期間、すなわち、２ｍｓとして計算される。
【００８０】
Ｋ１の値は、以下の幾つかの方法で計算されてよい。
【００８１】
ＲＲＣ設定に基づいて、曖昧期間を計算するときにＫ１は常にＲＲＣ設定の最大Ｋ１値を取り、又は、
Ｋ１の値は、１ｍｓの固定値として計算される。
【００８２】
ＭＡＣ  ＣＥの値は、以下の幾つかの方法で計算されてよい。
【００８３】
ＭＡＣ  ＣＥの解析がＫ１内で完了できなければ、ＭＡＣ  ＣＥの処理時間は０．５ｍｓの固定値として計算され、又は、
ＭＡＣ  ＣＥの解析がＫ１内で完了できなければ、ＭＡＣ  ＣＥの処理時間は０ｍｓの固定値として計算される。
【００８４】
具体的には、ＰＤＣＣＨにＵＬ  ｇｒａｎｔを搬送する場合、曖昧期間の概略図である図４に示すように、ＰＤＣＣＨには、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｙ）を伝送し、連続タイマ（Ｏｎ  ｄｕｒａｔｉｏｎ  Ｔｉｍｅｒ）がタイマの締め切りにて停止する（Ｓｔｏｐｐｅｄ  ｂｙ  ｔｉｍｅｒ  ｅｘｐｉｒｙ）、ここで、曖昧期間の長さはＰＤＣＣＨの処理時間（ＰＤＣＣＨ  ｐｒｏｃｅｓｓｉｎｇ  ｔｉｍｅ）に等しく、曖昧期間が終了した後、新しい上り伝送（Ｎｅｗ  ｔｒａｎｓｍｉｓｓｉｏｎ、ＵＬ）を行うか否かを判定し、そうであれば、ｄｒｘ非活性化タイマを開始する（Ｓｔａｒｔ  ｄｒｘ‐Ｉｎａｃｔｉｖｉｔｙ  Ｔｉｍｅｒ）ことで、Ｋ１及びＫ０の一部（曖昧期間を差し引いたもの）の期間においてＣＳＩとＡ／Ｎとの明確を実現することができ、（ＣＳＩ  ａｎｄ  Ａ／Ｎ：ｎｏ  ａｍｂｉｇｕｉｔｙ）、ここで、ＡはＡＣＫを表し、ＮはＮＡＣＫを表す。
【００８５】
その他の場合の曖昧期間の概略図である図５に示すように、曖昧期間はＰＤＣＣＨ処理時間と、ｄｒｘ‐ｉｎａｃｔｉｖｉｔｙ  ｔｉｍｅｒがタイムアウトした後から、ＭＡＣ  ＣＥの解析が完了するまでの時間との２つの期間に分けるが、簡単のため１つの時間に統合してよく、その始点はＰＤＣＣＨの受信時刻、その終点はＭＡＣ  ＣＥの解析に成功する時刻である。なお、図５ではｄｒｘ‐Ｉｎａｃｔｉｖｉｔｙ  ｔｉｍｅｒの動作中に下り共有チャネル伝送（ＤＬ−ＳＣＨ  １ｓｔ  Ｔｘ）を行い、ｄｒｘ−Ｉｎａｃｔｉｖｉｔｙ  ｔｉｍｅｒを停止する（Ｓｔｏｐ  ｄｒｘ−Ｉｎａｃｔｉｖｉｔｙ  Ｔｉｍｅｒ）。なお、曖昧期間の第２期間において、ＨＡＲＱ  ＡＣＫ／ＮＡＣＫフィードバックの時刻にて、ＣＳＩも送信するようとする場合、ネットワーク側はＨＡＲＱ  ＡＣＫ／ＮＡＣＫ及びＣＳＩ伝送に使用される伝送フォーマットを特定できない。
【００８６】
実施例２：端末にＣＳＩ  ｍａｓｋｉｎｇが設定されている。
【００８７】
端末が現在ｌｏｎｇ  ＤＲＸにあると仮定すると、図６に示すように、ｏｎ  ｄｕｒａｔｉｏｎ  Ｔｉｍｅｒが終了する前にＰＤＣＣＨを受信し、ＤＲＸ  ＭＡＣ  ＣＥをスケジューリングし、端末にｌｏｎｇ  ＤＲＸからｓｈｏｒｔ  ＤＲＸに切り替えさせる。
【００８８】
このケースでは、ＣＳＩ  ｍａｓｋｉｎｇが設定していれば、
ＰＤＣＣＨスケジューリングのコンテンツにかかわらず、曖昧期間の長さＴ３はＫ１＋ＭＡＣ  ＣＥの処理時間に等しい。
【００８９】
ここで、各パラメータの値は次のように計算される。
【００９０】
Ｋ１の値は、以下の幾つかの方法で計算されてよい。
【００９１】
ＲＲＣ設定に基づいて、曖昧期間を計算するときにＫ１は常にＲＲＣ設定の最大Ｋ１値を取り、又は、
Ｋ１の値は、１ｍｓの固定値として計算される。
【００９２】
ＭＡＣ  ＣＥの値は、以下の幾つかの方法で計算されてよい。
【００９３】
ＭＡＣ  ＣＥの解析がＫ１内で完了できなければ、ＭＡＣ  ＣＥの処理時間は０．５ｍｓの固定値として計算され、又は、
ＭＡＣ  ＣＥの解析がＫ１内で完了できなければ、ＭＡＣ  ＣＥの処理時間は０ｍｓの固定値として計算される。
【００９４】
具体的には、図７に示すように、ＣＳＩ  ｍａｓｋｉｎｇが設定されているため、端末はｏｎ  ｄｕｒａｔｉｏｎ期間にＣＳＩを報告しなく、それ以外は、基地局と端末とによる、ＣＳＩを報告するか否かについての不一致の理解が存在しない。ＡＣＫ／ＮＡＣＫが曖昧であるか否かのみを考慮する必要があり、曖昧期間の始点はＰＤＳＣＨの受信時刻、終点はＭＡＣ  ＣＥの解析に成功する時刻である。
【００９５】
実施例３：曖昧期間の長さが固定されている。
【００９６】
端末が現在ｌｏｎｇ  ＤＲＸにあると仮定すると、図８に示すように、ｏｎ  ｄｕｒａｔｉｏｎ  Ｔｉｍｅｒが終了する前にＰＤＣＣＨを受信し、ＤＲＸ  ＭＡＣ  ＣＥをスケジューリングし、端末にｌｏｎｇ  ＤＲＸからｓｈｏｒｔ  ＤＲＸに切り替えさせる。
【００９７】
そうであると、曖昧期間の長さはいずれも、Ｋ０＋Ｋ１＋ＭＡＣ  ＣＥの処理時間に設定される。
【００９８】
ここで、各パラメータの値は次のように計算される。
【００９９】
Ｋ０の値は、以下の幾つかの方法で計算されてよい。
【０１００】
ＲＲＣ設定に基づいて、曖昧期間を計算するときにＫ０は常にＲＲＣ設定の最大Ｋ０値を取り、又は、
Ｋ０の値は、ＢＷＰが変更されるか否かに関係しており、曖昧期間を計算する場合には、Ｋ０の値はＢＷＰの変更の期間、すなわち、２ｍｓとして計算される。
【０１０１】
Ｋ１の値は、以下の幾つかの方法で計算されてよい。
ＲＲＣ設定に基づいて、曖昧期間を計算するときにＫ１は常にＲＲＣ設定の最大Ｋ１値を取り、又は、
Ｋ１の値は、１ｍｓの固定値として計算される。
【０１０２】
ＭＡＣ  ＣＥの値は、以下の幾つかの方法で計算されてよい。
【０１０３】
ＭＡＣ  ＣＥの解析がＫ１内で完了できなければ、ＭＡＣ  ＣＥの処理時間は０．５ｍｓの固定値として計算され、又は、
ＭＡＣ  ＣＥの解析がＫ１内で完了できなければ、ＭＡＣ  ＣＥの処理時間は０ｍｓの固定値として計算される。
【０１０４】
具体的には、図９に示すように、曖昧期間はＰＤＣＣＨ処理時間と、ｄｒｘ‐ｉｎａｃｔｉｖｉｔｙ  ｔｉｍｅｒがタイムアウトした後から、ＭＡＣ  ＣＥの解析が完了するまでの時間との２つの期間に分けるが、簡単のため１つの時間に統合してよく、その始点はＰＤＣＣＨの受信時刻、その終点はＭＡＣ  ＣＥの解析に成功する時刻である。
【０１０５】
本開示の実施例に係る別の曖昧期間の長さの特定方法の構成図である図１０を参照すると、その方法は、
ネットワーク側機器は、ＰＤＣＣＨの処理時間、又はＭＡＣ  ＣＥの処理時間に対応する曖昧期間の長さを特定するステップ１００１と、
前記ネットワーク側機器は、端末に送信した制御メッセージに基づいて、現在時刻で前記端末が上り信号を送信するか否かを特定するステップ１００２とを含み、
ここで、前記制御メッセージの受信時間と前記現在時刻との差が前記曖昧期間の長さ以上である。
【０１０６】
選択的に、前記のネットワーク側機器は曖昧期間の長さを特定することは、
前記ネットワーク側機器は、ＰＤＣＣＨに搬送されるコンテンツ及びＣＳＩ  ｍａｓｋｉｎｇ設定の少なくとも１つに基づいて、曖昧期間の長さを特定することを含む。
【０１０７】
選択的に、前記ネットワーク側機器は、ＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、前記ネットワーク側機器は曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記ネットワーク側機器は曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、前記ネットワーク側機器は、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１０８】
選択的に、前記のネットワーク側機器は曖昧期間の長さを特定することは、
前記ネットワーク側機器は、曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１０９】
選択的に、前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【０１１０】
選択的に、前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む。
【０１１１】
選択的に、前記ネットワーク側機器は、端末に送信した制御メッセージに基づいて、現在時刻で前記端末が上り信号を送信するか否かを、特定することは、
前記ネットワーク側機器は、端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＳＲＳを送信しないことを、特定すること、又は、
前記端末にＣＳＩ  ｍａｓｋｉｎｇが設定されている場合、前記ネットワーク側機器は、前記端末に送信した制御メッセージに基づいて、現在時刻にｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、前記端末がＣＳＩを送信しないことを、特定すること、又は、
前記端末にＣＳＩ  ｍａｓｋｉｎｇが設定されていない場合、前記ネットワーク側機器は、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＣＳＩを送信しないことを、特定することを含む。
【０１１２】
なお、本実施例は、図２に示す実施例に対応するネットワーク側機器の実施形態として、その具体的な実施形態については、図２に示す実施例の関連説明を参照してよいが、同じ有益な効果を達成し、説明の重複を避けるために、ここでは贅言しない。
【０１１３】
本開示の実施例に係る端末の構成図である図１１を参照すると、端末１１００は、
ＰＤＣＣＨの処理時間、又はＭＡＣ  ＣＥの処理時間に対応する曖昧期間の長さを特定することに用いられる第１特定モジュール１１０１と、
受信した制御メッセージに基づいて、現在時刻で上り信号を送信するか否かを特定することに用いられる第２特定モジュール１１０２とを含み、ここで、前記制御メッセージの受信時間と前記現在時刻との差が前記曖昧期間の長さ以上である。
【０１１４】
選択的に、前記第１特定モジュール１１０１は、ＰＤＣＣＨに搬送されるコンテンツ及びＣＳＩ  ｍａｓｋｉｎｇ設定の少なくとも１つに基づいて、曖昧期間の長さを特定することに用いられる。
【０１１５】
選択的に、前記第１特定モジュール１１０１は、前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定することに用いられ、又は、
前記第１特定モジュール１１０１は、前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記曖昧期間の長さがＫ０、Ｋ１及び前記ＭＡＣ  ＣＥの処理時間の合計に等しいことを特定することに用いられ、又は、
前記第１特定モジュール１１０１は、前記端末にＣＳＩ  ｍａｓｋｉｎｇが設定されている場合、曖昧期間の長さがＫ１及び前記ＭＡＣ  ＣＥの処理時間の合計に等しいことを特定することに用いられ、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１１６】
選択的に、前記第１特定モジュール１１０１は、曖昧期間の長さがＫ０、Ｋ１及び前記ＭＡＣ  ＣＥの処理時間の合計に等しいことを特定することに用いられ、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１１７】
選択的に、前記Ｋ０は、ＲＲＣシグナリング設定で許容される最大Ｋ０値、又は、前記Ｋ０は、帯域幅ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【０１１８】
選択的に、前記制御メッセージは、
下りスケジューリングシグナリング、上りスケジューリングシグナリング、スケジューリング要求、及びＤＲＸ（Ｄｉｓｃｏｎｔｉｎｕｏｕｓ  Ｒｅｃｅｐｔｉｏｎ）  ＭＡＣ  ＣＥのうちの少なくとも１つを含み、
前記上り信号は、ＣＳＩ及びＳＲＳの少なくとも１つを含む。
【０１１９】
選択的に、前記第２特定モジュール１１０２は、受信した前記制御メッセージに基づいて、現在時刻が活性化時間（Ａｃｔｉｖｅ  Ｔｉｍｅ）に属するか否かを特定し、Ａｃｔｉｖｅ  Ｔｉｍｅに属しない場合は、ＳＲＳを送信しないことに用いられ、又は、
第２特定モジュール１１０２は、前記端末にＣＳＩ  ｍａｓｋｉｎｇが設定されている場合、受信した前記制御メッセージに基づいて、現在時刻に連続傍受タイマ（ｏｎ  ｄｕｒａｔｉｏｎ  ｔｉｍｅｒ）が動作しているか否かを特定し、前記ｏｎ  ｄｕｒａｔｉｏｎ  ｔｉｍｅｒが動作していない場合は、ＣＳＩを送信しないことに用いられ、又は、
第２特定モジュール１１０２は、前記端末にＣＳＩ  ｍａｓｋｉｎｇが設定されていない場合、受信した前記制御メッセージに基づいて、現在時刻がＡｃｔｉｖｅ  Ｔｉｍｅに属するか否かを特定し、Ａｃｔｉｖｅ  Ｔｉｍｅに属しない場合は、ＣＳＩを送信しないことに用いられる。
【０１２０】
なお、本実施例における上記端末１１００は、本開示の実施例の方法実施例の任意形態における端末であってよく、本開示の実施例における方法実施例の端末の任意の実施形態が、本実施例の上記端末１１００によって実現されて、同様の有益な効果を奏し、ここで贅言しない。
【０１２１】
本開示の実施例に係るネットワーク側機器の構成図である図１２を参照すると、ネットワーク側機器１２００は、
ＰＤＣＣＨの処理時間、又はＭＡＣ  ＣＥの処理時間に対応する曖昧期間の長さを特定することに用いられる第１特定モジュール１２０１と、
端末に送信した制御メッセージに基づいて、現在時刻で前記端末が上り信号を送信するか否かを特定することに用いられる第２特定モジュール１２０２とを含み、ここで、前記制御メッセージの受信時間と現在時刻との差が前記曖昧期間の長さ以上である。
【０１２２】
選択的に、前記第１特定モジュール１２０１は、ＰＤＣＣＨに搬送されるコンテンツ及びＣＳＩ  ｍａｓｋｉｎｇ設定の少なくとも１つに基づいて、曖昧期間の長さを特定することに用いられ、
選択的に、前記第１特定モジュール１２０１は、前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定することに用いられ、又は、
前記第１特定モジュール１２０１は、前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記曖昧期間の長さがＫ０、Ｋ１及び前記ＭＡＣ  ＣＥの処理時間の合計に等しいことを特定することに用いられ、又は、
前記第１特定モジュール１２０１は、前記端末にＣＳＩ  ｍａｓｋｉｎｇが設定されている場合、曖昧期間の長さがＫ１及び前記ＭＡＣ  ＣＥの処理時間の合計に等しいことを特定することに用いられ、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１２３】
選択的に、前記第１特定モジュール１２０１は、曖昧期間の長さがＫ０、Ｋ１及び前記ＭＡＣ  ＣＥの処理時間の合計に等しいことを特定することに用いられ、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１２４】
選択的に、前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【０１２５】
選択的に、前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む。
【０１２６】
選択的に、前記第２特定モジュール１２０２は、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＳＲＳを送信しないことを、特定することに用いられ、又は、
前記第２特定モジュール１２０２は、前記端末にＣＳＩ  ｍａｓｋｉｎｇが設定されている場合、前記ネットワーク側機器は、前記端末に送信した制御メッセージに基づいて、現在時刻にｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、前記端末がＣＳＩを送信しないことを、特定することに用いられ、又は、
前記第２特定モジュール１２０２は、前記端末にＣＳＩ  ｍａｓｋｉｎｇが設定されていない場合、前記ネットワーク側機器は、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＣＳＩを送信しないことを、特定することに用いられる。
【０１２７】
なお、本実施例における上記ネットワーク側機器１２００は、本開示の方法実施例の任意形態におけるネットワーク側機器であってよく、本開示の実施例における方法実施例のネットワーク側機器の任意の実施形態が、本実施例の上記ネットワーク側機器１２００によって実現されて、同様の有益な効果を奏し、ここで贅言しない。
【０１２８】
本開示の実施例に係る別の端末の構成図である図１３を参照すると、端末は、トランシーバ１３１０、メモリ１３２０、プロセッサ１３００、及び前記メモリ１３２０に記憶されている、前記プロセッサ１３００上で実行可能なプログラムを含み、ここで、
前記プロセッサ１３００は、メモリ１３２０内のプログラムを読み取り、
ＰＤＣＣＨの処理時間、又はＭＡＣ  ＣＥの処理時間に対応する曖昧期間の長さを特定することと、
受信した制御メッセージに基づいて、現在時刻で上り信号を送信するか否かを特定することとを実行することに用いられ、ここで、前記制御メッセージの受信時間と前記現在時刻との差が前記曖昧期間の長さ以上であり、
又は、
前記トランシーバ１３１０は、ＰＤＣＣＨの処理時間、又はＭＡＣ  ＣＥの処理時間に対応する曖昧期間の長さを特定することと、
受信した制御メッセージに基づいて、現在時刻で上り信号を送信するか否かを特定することとに用いられ、ここで、前記制御メッセージの受信時間と前記現在時刻との差が前記曖昧期間の長さ以上である。
ここで、トランシーバ１３１０は、プロセッサ１３００の制御で、データの受信と送信とに用いられてよい。
【０１２９】
図１３では、バスアーキテクチャは、任意の数の相互接続されたバス及びブリッジを含み得る。具体的に、プロセッサ１３００をはじめとした１つ以上のプロセッサとメモリ１３２０をはじめとしたメモリとを含む様々な回路で互いに接続する。バスアーキテクチャは、周辺機器、電圧レギュレータ、電力管理回路など他のさまざまな回路をリンクすることもできるのは当技術分野でよく知られているため、ここでは更なる説明をしない。バスインターフェイスはインターフェイスを提供する。トランシーバ１３１０は、送信機及び受信機を含む複数の要素であってもよく、伝送媒体上の様々な他の装置と通信するためのユニットを提供する。
プロセッサ１３００は、バスアーキテクチャ及び一般的な処理を管理し、メモリ１３２０は、プロセッサ１３００によって動作を実行するときに使用されるデータを記憶することができる。
なお、メモリ１３２０は、端末内のみで位置するものに限定されず、メモリ１３２０とプロセッサ１３００とを異なる地理的位置に分離することができる。
【０１３０】
選択的に、前記の曖昧期間の長さを特定することは、
ＰＤＣＣＨに搬送されるコンテンツ及びＣＳＩ  ｍａｓｋｉｎｇ設定の少なくとも１つに基づいて、曖昧期間の長さを特定することを含む。
選択的に、前記のＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、曖昧期間の長さがＫ１及び前記ＭＡＣ  ＣＥの処理時間の合計に等しいことを特定すること、を含み、
ここで、Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１３１】
選択的に、前記の曖昧期間の長さを特定することは、
曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１３２】
選択的に、前記Ｋ０は、ＲＲＣシグナリング設定で許容される最大Ｋ０値、又は、前記Ｋ０は、帯域幅ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【０１３３】
選択的に、前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む。
【０１３４】
選択的に、前記の受信した制御メッセージに基づいて、現在時刻で上り信号を送信するか否かを、特定することは、
受信した前記制御メッセージに基づいて、現在時刻が活性化時間（Ａｃｔｉｖｅ  Ｔｉｍｅ）に属するか否かを特定し、Ａｃｔｉｖｅ  Ｔｉｍｅに属しない場合は、ＳＲＳを送信しないこと、又は、
前記端末にＣＳＩ  ｍａｓｋｉｎｇが設定されている場合、受信した前記制御メッセージに基づいて、現在時刻に連続傍受タイマ（ｏｎ  ｄｕｒａｔｉｏｎ  ｔｉｍｅｒ）が動作しているか否かを特定し、前記ｏｎ  ｄｕｒａｔｉｏｎ  ｔｉｍｅｒが動作していない場合は、ＣＳＩを送信しないこと、又は、
前記端末にＣＳＩ  ｍａｓｋｉｎｇが設定されていない場合、受信した前記制御メッセージに基づいて、現在時刻がＡｃｔｉｖｅ  Ｔｉｍｅに属するか否かを特定し、Ａｃｔｉｖｅ  Ｔｉｍｅに属しない場合は、ＣＳＩを送信しないこと、を含む。
【０１３５】
なお、本実施例における上記端末は、本開示の実施例の方法実施例の任意形態における端末であってよく、本開示の実施例における方法実施例の端末の任意の実施形態が、本実施例の上記端末によって実現されて、同様の有益な効果を奏し、ここで贅言しない。
【０１３６】
本開示の実施例に係る別のネットワーク側機器の構成図である図１４を参照すると、その別のネットワーク側機器は、トランシーバ１４１０、メモリ１４２０、プロセッサ１４００、及び前記メモリ１４２０に記憶されている、前記プロセッサ上で実行可能なプログラムを含み、ここで、
前記プロセッサ１４００は、メモリ内１４２０のプログラムを読み取り、
ＰＤＣＣＨの処理時間、又はＭＡＣ  ＣＥの処理時間に対応する曖昧期間の長さを特定することと、
端末に送信した制御メッセージに基づいて、現在時刻で前記端末が上り信号を送信するか否かを、特定することとを実行することに用いられ、ここで、前記制御メッセージの受信時間と前記現在時刻との差が前記曖昧期間の長さ以上であり、
又は、
前記トランシーバ１４１０は、前記ＰＤＣＣＨの処理時間、又は前記ＭＡＣ  ＣＥの処理時間に対応する曖昧期間の長さを特定することと、
端末に送信した制御メッセージに基づいて、現在時刻で前記端末が上り信号を送信するか否かを、特定することとを実現することに用いられ、ここで、前記制御メッセージの受信時間と前記現在時刻との差が前記曖昧期間の長さ以上である。
【０１３７】
ここで、トランシーバ１４１０は、プロセッサ１４００の制御で、データの受信と送信とに用いられてよい。
【０１３８】
図１４では、バスアーキテクチャは、任意の数の相互接続されたバス及びブリッジを含み、具体的に、プロセッサ１４００をはじめとした１つ以上のプロセッサとメモリ１４２０をはじめとしたメモリとを含む様々な回路で互いに接続する。バスアーキテクチャは、周辺機器、電圧レギュレータ、電力管理回路など、他のさまざまな回路をリンクすることもできるのは当技術分野でよく知られているため、ここでは更なる説明をしない。バスインターフェイスはインターフェイスを提供し、トランシーバ１４１０は、送信機及び受信機を含む複数の要素であってもよく、伝送媒体上の様々な他の装置と通信するためのユニットを提供し、
プロセッサ１４００は、バスアーキテクチャ及び一般的な処理を管理し、メモリ１４２０は、プロセッサ１４００によって動作を実行するときに使用されるデータを記憶し、
なお、メモリ１４２０は、ネットワーク側機器内のみで位置するものに限定されず、メモリ１４２０とプロセッサ１４００とを異なる地理的位置に分離することができる。
【０１３９】
選択的に、前記の曖昧期間の長さを特定することは、
ＰＤＣＣＨに搬送されるコンテンツ及びＣＳＩ  ｍａｓｋｉｎｇ設定の少なくとも１つに基づいて、曖昧期間の長さを特定することを含む。
【０１４０】
選択的に、前記のＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１４１】
選択的に、前記の曖昧期間の長さを特定することは、
曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである。
【０１４２】
選択的に、前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である。
【０１４３】
選択的に、前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含む。
【０１４４】
選択的に、前記の端末に送信した制御メッセージに基づいて、現在時刻で前記端末が上り信号を送信するか否かを、特定することは、
端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＳＲＳを送信しないことを、特定すること、又は、
前記端末にＣＳＩ  ｍａｓｋｉｎｇが設定されている場合、前記端末に送信した制御メッセージに基づいて、現在時刻にｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、前記端末がＣＳＩを送信しないことを、特定すること、又は、
前記端末にＣＳＩ  ｍａｓｋｉｎｇが設定されていない場合、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＣＳＩを送信しないことを、特定することを含む。
【０１４５】
なお、本実施例における上記ネットワーク側機器は、本開示の方法実施例の任意形態におけるネットワーク側機器であってよく、本開示の実施例における方法実施例のネットワーク側機器の任意の実施形態が、本実施例の上記ネットワーク側機器によって実現されて、同様の有益な効果を奏し、ここで贅言しない。
【０１４６】
本開示は、プロセッサによって実行されると、本開示で提供される端末側の曖昧期間の長さの特定方法のステップを実現するコンピュータプログラム、又は、プロセッサによって実行されると、本開示で提供されるネットワークノード側機器の曖昧期間の長さの特定方法のステップを実現するコンピュータプログラムが記憶されているコンピューター可読記憶媒体を提供する。
【０１４７】
なお、本願によって提供される幾つかの実施例では、開示されている方法及び装置が他の方式で実現され得る。例えば、上記の装置の実施例は、単に例示的なものであり、例えば、論理的な機能的な分割に過ぎないユニットの分割は、実際に実現されると、別の分割を有してもよく、例えば、複数のユニット又はコンポーネントが結合されてもよく、又は別のシステムに統合されてもよく、又はいくつかの特徴が無視されてもよく、又は実行されなくてもよい。また、表示又は議論されている相互結合又は直接結合又は通信接続は、いくつかのインターフェース、装置又はユニットの間接結合又は通信接続を介して、電気的、機械的、又は他の形態であってもよい。
【０１４８】
また、本開示の各実施例における各機能ユニットは、１つの処理ユニットに統合してもよいし、個々の単位を物理的に独立して存在してもよいし、２つ以上のユニットを１つのユニットに統合してもよい。上記の統合されたユニットは、ハードウェアの形式又はハードウェアプラスソフトウェア機能ユニットの形式で実現され得る。
【０１４９】
前記ソフトウェア機能ユニットの形式で実現される統合されたユニットは、１つのコンピュータ可読記憶媒体に記憶され得る。上記ソフトウェア機能ユニットは、１つの記憶媒体に記憶され、１つのコンピュータ機器（パソコン、サーバー、又はネットワーク機器などであってもよい）に、この開示の各実施例で説明した情報データブロックの処理方法の一部のステップを実行させるために用いられるいくつかの命令を含む。上記の記憶媒体は、ＵＳＢディスク、モバイルハードドライブ、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク、又は光ディスクなど、プログラムコードを記憶できるさまざまな媒体を含む。
【０１５０】
上記の説明は、本開示の選択的な実施例であり、当業者であれば、本開示の原理から逸脱することなく、本開示の保護範囲と同様に考慮されるべきいくつかの改良及び修飾を行うことができる。
【図１】
2021521729.tif 000003
【図２】
2021521729.tif 000004
【図３】
2021521729.tif 000005
【図４】
2021521729.tif 000006
【図５】
2021521729.tif 000007
【図６】
2021521729.tif 000008
【図７】
2021521729.tif 000009
【図８】
2021521729.tif 000010
【図９】
2021521729.tif 000011
【図１０】
2021521729.tif 000012
【図１１】
2021521729.tif 000013
【図１２】
2021521729.tif 000014
【図１３】
2021521729.tif 000015
【図１４】
2021521729.tif 000016
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
曖昧期間の長さの特定方法であって、
端末は、ＰＤＣＣＨ（Ｐｈｙｓｉｃａｌ  Ｄｏｗｎｌｉｎｋ  Ｃｏｎｔｒｏｌ  Ｃｈａｎｎｅｌ）の処理時間、又はＭＡＣ  ＣＥ（Ｍｅｄｉａ  Ａｃｃｅｓｓ  Ｃｏｎｔｒｏｌ  Ｃｏｎｔｒｏｌ  Ｅｌｅｍｅｎｔ）の処理時間に対応する曖昧期間の長さを特定することと、
前記端末は、受信した制御メッセージに基づいて、現在時刻で上り信号を送信するか否かを特定することとを含み、ここで、前記制御メッセージの受信時間と前記現在時刻との差が前記曖昧期間の長さ以上である曖昧期間の長さの特定方法。
【請求項２】
前記の端末は曖昧期間の長さを特定することは、
前記端末は、ＰＤＣＣＨに搬送されるコンテンツ及びＣＳＩ  ｍａｓｋｉｎｇ（Ｃｈａｎｎｅｌ  Ｓｔａｔｅ  Ｉｎｆｏｒｍａｔｉｏｎ  ｍａｓｋｉｎｇ）設定の少なくとも１つに基づいて、曖昧期間の長さを特定することを含む請求項１に記載の方法。
【請求項３】
前記端末は、ＰＤＣＣＨに搬送されるコンテンツ及びＣＳＩ  ｍａｓｋｉｎｇ設定の少なくとも１つに基づいて、曖昧期間の長さを特定することは、
端末にＣＳＩ  ｍａｓｋｉｎｇが設定されておらず、前記ＰＤＣＣＨに搬送されるコンテンツが上りグラント（ＵＬ  ｇｒａｎｔ）である場合、前記端末は曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツが下り割り当て（ＤＬ  ａｓｓｉｇｎｍｅｎｔ）である場合、前記端末は曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、前記端末は、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨ（Ｐｈｙｓｉｃａｌ  Ｄｏｗｎｌｉｎｋ  Ｓｈａｒｅｄ  Ｃｈａｎｎｅｌ）との間の間隔時間の長さであり、前記Ｋ１はＰＤＳＣＨとそれに対応するＨＡＲＱ（Ｈｙｂｒｉｄ  Ａｕｔｏｍａｔｉｃ  Ｒｅｐｅａｔ  Ｒｅｑｕｅｓｔ）フィードバックとの間の間隔時間の長さである請求項２に記載の方法。
【請求項４】
前記の端末は曖昧期間の長さを特定することは、
前記端末は、曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項１に記載の方法。
【請求項５】
前記Ｋ０は、ＲＲＣ（Ｒａｄｉｏ  Ｒｅｓｏｕｒｃｅ  Ｃｏｎｔｒｏｌ）シグナリング設定で許容される最大Ｋ０値、又は、前記Ｋ０は、ＢＷＰ（Ｂａｎｄｗｉｄｔｈ  Ｐａｒｔ）の変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である、請求項３又は４に記載の方法。
【請求項６】
前記制御メッセージは、
下りスケジューリングシグナリング、上りスケジューリングシグナリング、スケジューリング要求、及びＤＲＸ（Ｄｉｓｃｏｎｔｉｎｕｏｕｓ  Ｒｅｃｅｐｔｉｏｎ）  ＭＡＣ  ＣＥのうちの少なくとも１つを含み、
前記上り信号は、ＣＳＩ及びＳＲＳ（Ｓｏｕｎｄｉｎｇ  Ｒｅｆｅｒｅｎｃｅ  Ｓｉｇｎａｌ）の少なくとも１つを含む、請求項１〜４のいずれか１項に記載の方法。
【請求項７】
前記端末は、受信した制御メッセージに基づいて、現在時刻で上り信号を送信するか否かを特定することは、
前記端末は、受信した前記制御メッセージに基づいて、現在時刻が活性化時間（Ａｃｔｉｖｅ  Ｔｉｍｅ）に属するか否かを特定し、Ａｃｔｉｖｅ  Ｔｉｍｅに属しない場合は、ＳＲＳを送信しないこと、又は、
前記端末にＣＳＩ  ｍａｓｋｉｎｇが設定されている場合、前記端末は、受信した前記制御メッセージに基づいて、現在時刻に連続傍受タイマｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、ＣＳＩを送信しないこと、又は、
前記端末にＣＳＩ  ｍａｓｋｉｎｇが設定されていない場合、前記端末が、受信した前記制御メッセージに基づいて、現在時刻がＡｃｔｉｖｅ  Ｔｉｍｅに属するか否かを特定し、Ａｃｔｉｖｅ  Ｔｉｍｅに属しない場合は、ＣＳＩを送信しないこと、を含む、請求項６に記載の方法。
【請求項８】
曖昧期間の長さの特定方法であって、
ネットワーク側機器は、ＰＤＣＣＨの処理時間、又はＭＡＣ  ＣＥの処理時間に対応する曖昧期間の長さを特定することと、
前記ネットワーク側機器は、端末に送信した制御メッセージに基づいて、現在時刻で前記端末が上り信号を送信するか否かを特定することとを含み、ここで、前記制御メッセージの受信時間と前記現在時刻との差が前記曖昧期間の長さ以上である曖昧期間の長さの特定方法。
【請求項９】
前記のネットワーク側機器は曖昧期間の長さを特定することは、
前記ネットワーク側機器は、ＰＤＣＣＨに搬送されるコンテンツ及びＣＳＩ  ｍａｓｋｉｎｇ設定の少なくとも１つに基づいて、曖昧期間の長さを特定することを含む請求項８に記載の方法。
【請求項１０】
前記ネットワーク側機器は、ＰＤＣＣＨに搬送されるコンテンツ及びＣＳＩ  ｍａｓｋｉｎｇ設定の少なくとも１つに基づいて、曖昧期間の長さを特定することは、
前記端末にＣＳＩ  ｍａｓｋｉｎｇが設定されておらず、前記ＰＤＣＣＨに搬送されるコンテンツがＵＬ  ｇｒａｎｔである場合、前記ネットワーク側機器は曖昧期間の長さが前記ＰＤＣＣＨの処理時間に等しいことを特定すること、又は、
前記端末にＣＳＩ  ｍａｓｋｉｎｇが設定されておらず、前記ＰＤＣＣＨに搬送されるコンテンツがＤＬ  ａｓｓｉｇｎｍｅｎｔである場合、前記ネットワーク側機器は曖昧期間の長さがＫ０、Ｋ１及び前記ＭＡＣ  ＣＥの処理時間の合計に等しいことを特定すること、又は、
前記端末にＣＳＩ  ｍａｓｋｉｎｇが設定されている場合、前記ネットワーク側機器は、曖昧期間の長さがＫ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項９に記載の方法。
【請求項１１】
前記のネットワーク側機器は曖昧期間の長さを特定することは、
前記ネットワーク側機器は、曖昧期間の長さがＫ０、Ｋ１及び前記ＭＡＣ  ＣＥの処理時間の合計に等しいことを特定すること、を含み、
ここで、前記Ｋ０は前記ＰＤＣＣＨとそれがスケジューリングするＰＤＳＣＨとの間の間隔時間の長さであり、前記Ｋ１はＰＤＳＣＨとそれに対応するＨＡＲＱフィードバックとの間の間隔時間の長さである請求項８に記載の方法。
【請求項１２】
前記Ｋ０は、ＲＲＣシグナリング設定で許容される最大Ｋ０値、又は、前記Ｋ０は、ＢＷＰの変更に必要な時間の長さに固定された固定値であり、
前記Ｋ１は、ＲＲＣ設定シグナリング設定で許容される最大Ｋ１値であり、又は、前記Ｋ１は固定値であり、
前記ＭＡＣ  ＣＥの処理時間は固定値である、請求項１０又は１１に記載の方法。
【請求項１３】
前記制御メッセージは、
下りスケジューリングシグナリング、上りスケジューリングシグナリング、スケジューリング要求、及びＤＲＸ  ＭＡＣ  ＣＥのうちの少なくとも１つを含み、
前記上り信号は、ＣＳＩ及びＳＲＳの少なくとも１つを含み、
前記ネットワーク側機器は、端末に送信した制御メッセージに基づいて、現在時刻で前記端末が上り信号を送信するか否かを特定することは、
前記ネットワーク側機器は、端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＳＲＳを送信しないことを、特定すること、又は、
前記端末にＣＳＩ  ｍａｓｋｉｎｇが設定されている場合、前記ネットワーク側機器は、前記端末に送信した制御メッセージに基づいて、現在時刻にｏｎ  ｄｕｒａｔｉｏｎ  ｔｉｍｅｒが動作しているか否かを特定し、前記ｏｎ  ｄｕｒａｔｉｏｎ  ｔｉｍｅｒが動作していない場合は、前記端末がＣＳＩを送信しないことを、特定すること、又は、
前記端末にＣＳＩ  ｍａｓｋｉｎｇが設定されていない場合、前記ネットワーク側機器は、前記端末に送信した制御メッセージに基づいて、現在時刻がＡｃｔｉｖｅ  Ｔｉｍｅに属するか否かを特定し、Ａｃｔｉｖｅ  Ｔｉｍｅに属しない場合は、前記端末がＣＳＩを送信しないことを、特定することを含む、請求項８〜１１のいずれか１項に記載の方法。
【請求項１４】
端末であって、
ＰＤＣＣＨの処理時間、又はＭＡＣ  ＣＥの処理時間に対応する曖昧期間の長さを特定することに用いられる第１特定モジュールと、
受信した制御メッセージに基づいて、現在時刻で上り信号を送信するか否かを特定することに用いられる第２特定モジュールとを含み、ここで、前記制御メッセージの受信時間と前記現在時刻との差が前記曖昧期間の長さ以上である端末。
【請求項１５】
ネットワーク側機器であって、
ＰＤＣＣＨの処理時間、又はＭＡＣ  ＣＥの処理時間に対応する曖昧期間の長さを特定することに用いられる第１特定モジュールと、
端末に送信した制御メッセージに基づいて、現在時刻で前記端末が上り信号を送信するか否かを特定することに用いられる第２特定モジュールとを含み、ここで、前記制御メッセージの受信時間と前記現在時刻との差が前記曖昧期間の長さ以上であるネットワーク側機器。
【国際調査報告】
2021521729.tif 000017
2021521729.tif 000018
2021521729.tif 000019
2021521729.tif 000020